(57)【要約】【課題】印刷用紙の中心位置および印刷可能領域の中心位置の両方における位置決めマークを容易に印刷すること。【解決手段】印刷用紙に関する情報を取得する印刷用紙情報取得部３０１と、取得された情報に基づいて、印刷用紙における少なくとも印刷用紙の垂直方向および水平方向のいずれか一方における中心位置（「第１の中心位置」）を特定する第１の中心位置特定部３０２と、印刷用紙における印刷可能領域に関する情報を取得する印刷可能領域情報取得部３０３と、取得された情報に基づいて、印刷用紙における、少なくとも印刷可能領域の垂直方向および水平方向のいずれか一方における中心位置（「第２の中心位置」）を特定する第２の中心位置特定部３０４と、印刷装置を制御して、第１の中心位置および第２の中心位置に基づいて位置決めマークを印刷する印刷制御部３０５と、を備える。【選択図】        図３
2007065719.tif 000002
【特許請求の範囲】
【請求項１】
印刷用紙に関する情報を取得する印刷用紙情報取得手段と、
前記印刷用紙情報取得手段によって取得された情報に基づいて、前記印刷用紙における少なくとも印刷用紙の垂直方向および水平方向のいずれか一方における中心位置（以下「第１の中心位置」という）を特定する第１の中心位置特定手段と、
前記印刷用紙における印刷可能領域に関する情報を取得する印刷可能領域情報取得手段と、
前記印刷可能領域情報取得手段によって取得された情報に基づいて、前記印刷用紙における、少なくとも印刷可能領域の垂直方向および水平方向のいずれか一方における中心位置（以下「第２の中心位置」という）を特定する第２の中心位置特定手段と、
印刷装置を制御して、前記第１の中心位置および前記第２の中心位置に基づいて位置決めマークを印刷する印刷制御手段と、
を備えたことを特徴とする印刷制御装置。
【請求項２】
前記印刷制御手段は、前記第１の中心位置に基づいて印刷される位置決めマークと、前記第２の中心位置に基づいて印刷される位置決めマークとが同一の印刷用紙に印刷される場合に、前記位置決めマークの長さ、線幅および色の少なくともいずれかが異なるように印刷することを特徴とする請求項１に記載の印刷制御装置。
【請求項３】
前記第１の中心位置の印刷を指示する第１の印刷指示手段と、
前記第２の中心位置の印刷を指示する第２の印刷指示手段と、
を備え、
前記印刷制御手段は、前記第１の印刷指示手段および前記第２の印刷指示手段による印刷指示に基づいて、前記位置決めマークを印刷することを特徴とする請求項１または２に記載の印刷制御装置。
【請求項４】
前記第１の印刷指示手段および前記第２の印刷指示手段は、それぞれ異なる設定画面から、前記位置決めマークの長さ、線幅、色の少なくとも一つを指定可能であることを特徴とする請求項３に記載の印刷制御装置。
【請求項５】
前記第２の印刷指示手段は、前記位置決めマークと印刷可能領域との間隔を指定可能であることを特徴とする請求項３または４に記載の印刷制御装置。
【請求項６】
前記第１の印刷指示手段または前記第２の印刷指示手段は、前記位置決めマークの長さ、線幅、色の少なくとも一つを指定可能であることを特徴とする請求項３に記載の印刷制御装置。
【請求項７】
前記第１の印刷指示手段または前記第２の印刷指示手段は、前記位置決めマークを、垂直方向に印刷するか、水平方向に印刷するか、または垂直方向および水平方向に印刷するかのいずれかを指定可能であることを特徴とする請求項３または６に記載の印刷制御装置。
【請求項８】
印刷用紙に関する情報を取得する印刷用紙情報取得工程と、
前記印刷用紙情報取得工程によって取得された情報に基づいて、前記印刷用紙における少なくとも印刷用紙の垂直方向および水平方向のいずれか一方における中心位置（以下「第１の中心位置」という）を特定する第１の中心位置特定工程と、
前記印刷用紙における印刷可能領域に関する情報を取得する印刷可能領域情報取得工程と、
前記印刷可能領域情報取得工程によって取得された情報に基づいて、前記印刷用紙における、少なくとも印刷可能領域の垂直方向および水平方向のいずれか一方における中心位置（以下「第２の中心位置」という）を特定する第２の中心位置特定工程と、
前記第１の中心位置および前記第２の中心位置に基づいて位置決めマークを印刷する印刷工程と、
を含んだことを特徴とする位置決めマーク印刷方法。
【請求項９】
請求項８に記載の位置決めマーク印刷方法の各工程をコンピュータに実行させることを特徴とする位置決めマーク印刷プログラム。
【発明の詳細な説明】
【技術分野】
【０００１】
本発明は、画像を印刷用紙に印刷するとともに、画像の位置決めマーク（いわゆる「トンボ」）を印刷用紙に印刷する印刷制御装置、位置決めマーク印刷方法および位置決めマーク印刷プログラムに関する。
【背景技術】
【０００２】
従来、印刷における画像の位置合わせには余白に位置決めマーク（いわゆる「トンボ」）を印刷し、そのトンボを基準として用いることで正確な位置合わせをおこなっていた。トンボの設定方法は、たとえば、印刷可能領域の四隅を基準点として、水平および垂直方向の余白領域に線を引く方法をおこなっている。また、その四隅のトンボを自動的に調整することができるものが存在する（たとえば、特許文献１参照。）。
【０００３】
【特許文献１】特開２００２−１２５１１１号公報
【発明の開示】
【発明が解決しようとする課題】
【０００４】
しかしながら、上記従来技術の印刷制御装置では、印刷可能領域の四隅にトンボを設ける以外に、中心を位置合わせするために中心線を引く場合には、印刷可能領域の中心を採用する場合と、用紙の中心を採用する場合があり、それぞれで中心の位置がずれる問題がおこる。特に印刷装置や用紙の仕様によっては上下または左右において余白の幅が異なることがあり、その場合には中心のずれが大きくなってしまう。
【０００５】
本発明は、上記課題を解決するためになされたものであり、印刷用紙の中心位置および印刷可能領域の中心位置の両方における位置決めマークを容易に印刷することが可能な印刷制御装置、位置決めマーク印刷方法および位置決めマーク印刷プログラムを提供することを目的とする。
【課題を解決するための手段】
【０００６】
上記課題を解決するために、本発明にかかる印刷制御装置は、印刷用紙に関する情報を取得する印刷用紙情報取得手段と、前記印刷用紙情報取得手段によって取得された情報に基づいて、前記印刷用紙における少なくとも印刷用紙の垂直方向および水平方向のいずれか一方における中心位置（以下「第１の中心位置」という）を特定する第１の中心位置特定手段と、前記印刷用紙における印刷可能領域に関する情報を取得する印刷可能領域情報取得手段と、前記印刷可能領域情報取得手段によって取得された情報に基づいて、前記印刷用紙における、少なくとも印刷可能領域の垂直方向および水平方向のいずれか一方における中心位置（以下「第２の中心位置」という）を特定する第２の中心位置特定手段と、印刷装置を制御して、前記第１の中心位置および前記第２の中心位置に基づいて位置決めマークを印刷する印刷制御手段と、を備えたことを特徴とする。
【０００７】
また、本発明にかかる印刷制御装置は、上記発明において、前記印刷制御手段が、前記第１の中心位置に基づいて印刷される位置決めマークと、前記第２の中心位置に基づいて印刷される位置決めマークとが同一の印刷用紙に印刷される場合に、前記位置決めマークの長さ、線幅および色の少なくともいずれかが異なるように印刷することを特徴とする。
【０００８】
また、本発明にかかる印刷制御装置は、上記発明において、前記第１の中心位置の印刷を指示する第１の印刷指示手段と、前記第２の中心位置の印刷を指示する第２の印刷指示手段と、を備え、前記印刷制御手段が、前記第１の印刷指示手段および前記第２の印刷指示手段による印刷指示に基づいて、前記位置決めマークを印刷することを特徴とする。
【０００９】
また、本発明にかかる印刷制御装置は、上記発明において、前記第１の印刷指示手段および前記第２の印刷指示手段が、それぞれ異なる設定画面から、前記位置決めマークの長さ、線幅、色の少なくとも一つを指定可能であることを特徴とする。
【００１０】
また、本発明にかかる印刷制御装置は、上記発明において、前記第２の印刷指示手段が、前記位置決めマークと印刷可能領域との間隔を指定可能であることを特徴とする。
【００１１】
また、本発明にかかる印刷制御装置は、上記発明において、前記第１の印刷指示手段または前記第２の印刷指示手段が、前記位置決めマークの長さ、線幅、色の少なくとも一つを指定可能であることを特徴とする。
【００１２】
また、本発明にかかる印刷制御装置は、上記発明において、前記第１の印刷指示手段または前記第２の印刷指示手段が、前記位置決めマークを、垂直方向に印刷するか、水平方向に印刷するか、または垂直方向および水平方向に印刷するかのいずれかを指定可能であることを特徴とする。
【００１３】
また、本発明にかかる位置決めマーク印刷方法は、印刷用紙に関する情報を取得する印刷用紙情報取得工程と、前記印刷用紙情報取得工程によって取得された情報に基づいて、前記印刷用紙における少なくとも印刷用紙の垂直方向および水平方向のいずれか一方における中心位置（以下「第１の中心位置」という）を特定する第１の中心位置特定工程と、前記印刷用紙における印刷可能領域に関する情報を取得する印刷可能領域情報取得工程と、前記印刷可能領域情報取得工程によって取得された情報に基づいて、前記印刷用紙における、少なくとも印刷可能領域の垂直方向および水平方向のいずれか一方における中心位置（以下「第２の中心位置」という）を特定する第２の中心位置特定工程と、前記第１の中心位置および前記第２の中心位置に基づいて位置決めマークを印刷する印刷工程と、を含んだことを特徴とする。
【００１４】
このような発明によって、印刷処理時に印刷可能領域の中心に画像の位置を合せるため中心線を印刷することができる。また、写真枠（印刷可能領域）の中心を採用する場合と、用紙の中心を採用する場合の組合わせ設定を可能にした。
【００１５】
また、本発明にかかる位置決めマーク印刷プログラムは、上述した位置決めマーク印刷方法をコンピュータに実行させることを特徴とする。このため、本発明の位置決めマーク印刷プログラムを実行することにより、上述した位置決めマーク印刷方法によって得られる動作がコンピュータによって実現される。これにより、上述した位置決めマーク印刷方法の実現によって得られる各種効果を奏することができる。
【発明を実施するための最良の形態】
【００１６】
以下に添付図面を参照して、本発明にかかる印刷制御装置、位置決めマーク印刷方法および位置決めマーク印刷プログラムの好適な実施の形態を詳細に説明する。
【００１７】
（印刷制御装置を備える印刷システムの概略構成）
図１は、本実施の形態にかかる印刷制御装置を備える印刷システムの概略構成の一例を示す構成図である。図１に示すように、印刷システムは、各機器がネットワーク（たとえばＬＡＮ（Ｌｏｃａｌ  Ａｒｅａ  Ｎｅｔｗｏｒｋ）など）１００などのネットワークで接続され、印刷制御装置１０１と、印刷制御装置１０１に直接接続されたプリンタ１０２、ネットワーク１００によって接続されたネットワークプリンタ１０３，複合機１０４、大型プリンタ１０５などから構成される。
【００１８】
印刷制御装置１０１は、具体的には、たとえばパーソナルコンピュータなどであり、プリンタ１０２、ネットワークプリンタ１０３は、レーザービームプリンタ、インクジェットプリンタなどの各種プリンタであり、複合機１０４は、スキャナ機能、コピー機能、プリント機能、ファクシミリ機能を備えたＭＦＰ（Ｍｕｌｔｉ  Ｆｕｎｃｔｉｏｎ  Ｐｒｉｎｔｅｒ）などであり、大型プリンタ１０５は、Ａ３版を超える用紙に印刷可能な業務用プリンタである。これらのプリンタ１０２、ネットワークプリンタ１０３、複合機１０４、大型プリンタ１０５（以下総称して「プリンタ１０２〜１０５」という）は、印刷制御装置１０１からの印刷指示に基づいて、それぞれ印刷用紙に所望の画像を印刷する。
【００１９】
（印刷制御装置のハードウエア構成）
図２は、本実施の形態にかかる印刷制御装置のハードウエア構成の一例を示す説明図である。図２に示すように、本実施の形態にかかる印刷制御装置１０１は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、ＦＤ（フレキシブルディスク）２０７と、ディスプレイ２０８とを備えている。また、印刷制御装置１０１は、インタフェース（Ｉ／Ｆ）２０９と、キーボード２１１と、マウス２１２と、スキャナ２１３と、光ディスク２１４と、光ディスクドライブ２１５とを備えている。なお、上記各構成部２０１〜２１５は、バス２００によってそれぞれ接続されている。
【００２０】
ＣＰＵ（Ｃｅｎｔｒａｌ  Ｐｒｏｃｅｓｓｉｎｇ  Ｕｎｉｔ）２０１は、所定の演算処理を実行し、この印刷制御装置１０１の全体を制御するとともに、印刷制御装置１０１の各機能を実現する。ＲＯＭ（Ｒｅａｄ  Ｏｎｌｙ  Ｍｅｍｏｒｙ）２０２は、各種制御プログラムを格納する。なお、各種制御プログラムは、ＲＯＭ２０２の他に後述するＨＤ２０５などの記憶装置（記録媒体）に格納されていてもよい。このＲＯＭ２０２に格納されたデータは、操作者（ユーザ）の操作によって書き換えることは可能であるが、電源ＯＦＦによって消去されない。
【００２１】
ＣＰＵ２０１は、たとえば印刷ドライバが管理するプリンタ１０２〜１０５の印刷情報を取得し、取得した印刷情報および用紙情報に基づいて、プリンタ１０２〜１０５によって印刷可能な用紙サイズを識別するための識別情報を生成する。また、ＣＰＵ２０１は、生成された用紙サイズの識別情報を用いて、印刷に際して選択可能なプリンタ１０２〜１０５を後述するディスプレイ２０８の表示画面上に表示させるとともに、各種情報をディスプレイ２０８に表示させる。
【００２２】
また、ＣＰＵ２０１は、たとえば後述する大伸ばし印刷サービスやポスタープリント印刷サービスなどの複数の印刷サービスから選択された印刷サービスについて、プリンタ１０５による印刷出力を実行するための印刷ジョブを生成し、この印刷ジョブに基づいてプリンタ１０５を制御して印刷出力をおこなう。
【００２３】
ＲＡＭ（Ｒａｎｄｏｍ  Ａｃｃｅｓｓ  Ｍｅｍｏｒｙ）２０３は、可変的なデータを書き換え自在に記憶し、ＣＰＵ２０１のワークエリアとして機能する。このＲＡＭ２０３は、電源ＯＦＦによって記憶されたデータが消去される揮発性のメモリであってもよいし、バッテリなどによってバックアップされることによる不揮発性のメモリとしてもよい。ＲＡＭ２０３は、たとえばテンプレートや用紙情報などの各種情報を一時的あるいは恒久的に記憶してもよい。
【００２４】
ＨＤＤ２０４は、ＣＰＵ２０１の制御命令にしたがって、ＨＤ２０５に対する情報の読み取り／書き込みの制御をおこなう。なお、位置決めマーク印刷プログラムが、たとえばＭＯ（Ｍａｇｎｅｔｏ−Ｏｐｔｉｃａｌ  ｄｉｓｋ）やメモリカードなどに記録されている場合は、ＨＤＤ２０４に代えて、あるいはＨＤＤ２０４とともに、これらに記録された情報の少なくとも読み取りが可能な専用のドライブ装置を用いることができる。
【００２５】
ＨＤ２０５は、各種制御プログラムや各種情報を、たとえばＣＰＵ２０１に読み取り可能に記録する。ＨＤ２０５は、ＨＤＤ２０４による情報の書き込みを受け付けるとともに、書き込まれた情報を不揮発に記録する。このＨＤ２０５には、位置決めマーク印刷プログラムとともに、位置決めマーク印刷プログラムの実行に際して必要な各種情報が記録されている。
【００２６】
なお、位置決めマーク印刷プログラムは、ＨＤ２０５に記録されているものには限られない。ＨＤ２０５に代えて、上述したＭＯ、メモリカード、あるいは後述する光ディスク（ＤＶＤ、ＣＤ、ＣＤ−ＲＯＭ（ＣＤ−Ｒ、ＣＤ−ＲＷ））２１４などに位置決めマーク印刷プログラムが記録されていてもよい。たとえば光ディスク２１４に記録された位置決めマーク印刷プログラムを用いる場合、この印刷制御装置１０１では、光ディスク２１４に記録された情報の少なくとも読み取りが可能な後述する光ディスクドライブ２１５によって位置決めマーク印刷プログラムがＣＰＵ２０１に読み込まれる。
【００２７】
また、ＨＤ２０５には、たとえばプリンタ１０２の印刷情報の管理や駆動制御をするための印刷ドライバが格納されていてもよい。この印刷ドライバは、プリンタ１０２を動作させるための処理をおこない、印刷制御装置１０１とプリンタ１０２との橋渡し的役割を担う。なお、これに限らず、印刷ドライバを、たとえばファームウエアによって構成したり、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成したりしてもよい。
【００２８】
ＦＤＤ２０６は、ＣＰＵ２０１の制御命令にしたがって、ＦＤ２０７に対する情報の読み取り／書き込みの制御をおこなう。ＦＤ２０７は、ＦＤＤ２０６による情報の書き込みを受け付けるとともに、書き込まれた情報を不揮発に記録する着脱自在な記録媒体である。
【００２９】
ディスプレイ２０８は、たとえばＣＲＴ（Ｃａｔｈｏｄｅ  Ｒａｙ  Ｔｕｂｅ）、ＴＦＴ（Ｔｈｉｎ  Ｆｉｌｍ  Ｔｒａｎｓｉｓｔｏｒ）液晶ディスプレイ、有機ＥＬ（Ｅｌｅｃｔｒｏｌｕｍｉｎｅｓｃｅｎｃｅ）ディスプレイ、プラズマディスプレイなどのディスプレイ装置によって構成される。このディスプレイ２０８は、具体的には、たとえば図示しない映像Ｉ／Ｆや映像Ｉ／Ｆに接続された映像表示用のディスプレイ装置によって構成することができる。
【００３０】
ディスプレイ２０８には、アイコン、カーソル、メニュー、ウィンドウ、あるいは文字や画像などの各種情報が表示される。具体的には、ディスプレイ２０８には、たとえば印刷制御装置１０１によっておこなわれる印刷サービスやこの印刷サービスに伴う各種機能の環境設定などの選択画面が表示される。
【００３１】
Ｉ／Ｆ２０９は、たとえば通信ケーブル２１０を介してネットワーク１００に接続され、このネットワーク１００とＣＰＵ２０１との間のインタフェースとして機能するネットワークボードによって構成される。たとえば、ＵＳＢなどが含まれる。そして、Ｉ／Ｆ２０９は、ネットワーク１００を介して他の印刷制御装置１０１や他の機器との間で各種情報の送受信をおこなう。このＩ／Ｆ２０９は、その他、たとえばメモリカードなどのスロット部や無線通信をおこなう通信モジュールなどによって構成されていてもよい。
【００３２】
ここで、Ｉ／Ｆ２０９が無線通信をおこなう通信モジュールによって構成される場合、通信の媒体となる通信ケーブル２１０などのワイヤ線は不要となり、電波や赤外線、超音波などを用いて各種情報の送受信がおこなわれる。このような無線通信を可能とする規格には、たとえば無線ＬＡＮ（Ｌｏｃａｌ  Ａｒｅａ  Ｎｅｔｗｏｒｋ）、ＩｒＤＡ（Ｉｎｆｒａｒｅｄ  Ｄａｔａ  Ａｓｓｏｃｉａｔｉｏｎ）、ＨｏｍｅＲＦ（Ｈｏｍｅ  Ｒａｄｉｏ  Ｆｒｅｑｕｅｎｃｙ）、ＢｌｕｅＴｏｏｔｈなどの各種の技術があるが、本実施の形態においては公知の各種の無線通信技術を利用することができる。
【００３３】
キーボード２１１は、文字、数値、各種指示などの入力のための複数のキーを備えて構成され、操作者（ユーザ）によって入力操作された情報（以下、「入力情報」とする）をＣＰＵ２０１に対して出力する。マウス２１２は、各種指示の選択や実行、処理対象の選択、カーソルの移動などをおこなうデバイスであり、キーボード２１１と同様に操作者（ユーザ）による入力情報をＣＰＵ２０１に対して出力する。
【００３４】
なお、これらキーボード２１１およびマウス２１２のように、操作者（ユーザ）による入力情報をＣＰＵ２０１に対して出力するものとしては、物理的な押下／非押下を検出する押しボタン式スイッチ、タッチパネル、ジョイスティックおよびトラックボールなどの公知の各種形態を採用するようにしてもよい。また、外部からの音声を入力するマイクロフォンを用いて、音声認識によって入力情報をＣＰＵ２０１に対して出力するようにしてもよい。
【００３５】
ここで、操作者（ユーザ）による入力情報をＣＰＵ２０１に対して出力するものとして、タッチパネルを採用する場合、タッチパネルはディスプレイ２０８の表示画面側に積層して使用される形態とすればよい。この場合、ディスプレイ２０８における各種情報の表示タイミングとタッチパネルに対する操作タイミングおよびその位置座標とを管理することによって、入力情報を認識することができる。このように、タッチパネルを採用することにより、たとえば印刷制御装置１０１の小型化を図りつつ多くの情報入力操作をおこなうことが可能となる。なお、タッチパネルとしては、抵抗膜式や感圧式などの公知の各種タッチパネルを用いることができる。
【００３６】
スキャナ２１３は、紙などから文字や図形、画像などを光学的に読み取って、画像データとして入力するデバイスであり、ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などのセンサを備えたフラットヘッドスキャナやハンディスキャナにより構成される。
【００３７】
光ディスク２１４は、可搬性を有し、光ディスクドライブ２１５に対して着脱可能な記録媒体であり、写真などの画像データや位置決めマーク印刷プログラムなどの各種情報を記録する。
【００３８】
ここで、光ディスク２１４が、たとえばＣＤ−ＲＯＭ（ＣＤ−Ｒ、ＣＤ−ＲＷ）である場合、光ディスクドライブ２１５はＣＤ−ＲＯＭドライブなどによって実現される。なお、ＣＤ−ＲＯＭドライブについては、公知の技術であるため、図示および説明を省略する。また、光ディスク２１４に代わる記録媒体を採用した場合は、光ディスクドライブ２１５は、採用された記録媒体の少なくとも読み取りが可能なドライブ装置によって構成されるとよい。
【００３９】
（印刷制御装置の機能的構成）
図３は、本実施の形態の印刷制御装置の機能的構成の一例を示す説明図である。なお、本実施の形態の印刷制御装置１０１は、たとえばアプリケーションとしての図示しない位置決めマーク印刷プログラムおよび印刷ドライバがインストールされた一般的なパーソナルコンピュータとして構成されており、位置決めマーク印刷プログラムが実行されたときに印刷制御装置として機能する。
【００４０】
図３に示すように、印刷制御装置１０１は、印刷用紙情報取得部３０１と、第１の中心位置特定部３０２と、印刷可能領域情報取得部３０３と、第２の中心位置特定部３０４と、印刷制御部３０５と、第１印刷指示部３０６と、第２印刷指示部３０７と、を含む構成となっている。
【００４１】
印刷用紙情報取得部３０１は、印刷用紙に関する情報を取得する。印刷用紙に関する情報は、印刷対象の画像情報に含まれており、その情報を取得する。また、操作者によって、キーボード２１１やマウス２１２から入力された場合に、その情報を取得することもできる。
【００４２】
第１の中心位置特定部３０２は、印刷用紙情報取得部３０１によって取得された情報に基づいて、印刷用紙における少なくとも印刷用紙の垂直方向および水平方向のいずれか一方における中心位置（以下「第１の中心位置」という）を特定する。具体的には、印刷用紙のサイズ、すなわち垂直方向の長さおよび水平方向の長さがわかっており、印刷用紙の端部から、その長さの半分（１／２）の位置を第１の中心位置として特定する。たとえば、Ａ４サイズであれば、そのサイズは２９７ｍｍ×２１０ｍｍであるので、長手方向においては、印刷用紙の端部から１４８．５ｍｍの位置を第１の中心位置とし、長手方向に対して垂直方向においては、用紙の端部から１０５ｍｍの位置を第１の中心位置として特定する。
【００４３】
印刷可能領域情報取得部３０３は、印刷用紙における印刷可能領域に関する情報を取得する。ここで印刷可能領域とは、具体的には、印刷用紙において画像が印刷できる限界の境界線（フレーム）の枠（たとえば後述する図９に示す９０２）内の領域であってもよく、実際に画像が印刷される領域（たとえば後述する図９に示す９０１）であってもよい。印刷対象の画像としては、写真画像が多数を占めるため、本実施の形態では、印刷可能領域を「写真枠」という場合もある。
【００４４】
第２の中心位置特定部３０４は、印刷可能領域情報取得部３０３によって取得された情報に基づいて、印刷用紙における、少なくとも印刷可能領域の垂直方向および水平方向のいずれか一方における中心位置（以下「第２の中心位置」という）を特定する。具体的には、印刷可能領域のサイズ、すなわち垂直方向の長さおよび水平方向の長さがわかっており、印刷可能領域の端部から、その長さの半分（１／２）の位置を第２の中心位置として特定する。たとえば、Ｌ判サイズであれば、そのサイズは１２７ｍｍ×８９ｍｍであるので、長手方向においては、印刷可能領域の端部から６３．５ｍｍの位置を第２の中心位置とし、長手方向に対して垂直方向においては、用紙の端部から４４．５ｍｍの位置を第２の中心位置として特定する。
【００４５】
第１の中心位置と第２の中心位置を比較した場合に、第１の中心位置は、印刷用紙の垂直方向および水平方向の中心位置なので、印刷用紙が特定されれば、第１の中心位置は一義的に特定される。これに対して、第２の中心位置は、印刷可能領域の垂直方向および水平方向の中心位置なので、印刷用紙上の印刷可能領域が変更されれば、第２の中心位置は、その変更に伴ってその位置が変わることになる。具体的には、たとえば、印刷用紙上に、複数の印刷可能領域を設定した場合には、印刷可能領域ごとに第２の中心位置がそれぞれ特定されることになる。第１の中心位置と第２の中心位置には、このような違いがある。
【００４６】
印刷制御部３０５は、プリンタ１０２〜１０５を制御して、第１の中心位置および第２の中心位置に基づいて位置決めマークを印刷する。位置決めマークとは、たとえば、いわゆる「トンボ」と称されるものであってもよく、具体的には、図９に示した９０３〜９１４に示す線状のマークである。ただし、位置決めマークはこれに限定されるものではなく、たとえば矢印や図形（三角形状、円形状など）であってもよい。このようにすることで、印刷可能領域の中心位置だけでなく、印刷用紙の中心位置も容易に認識することができる。
【００４７】
ここで、印刷制御部３０５は、印刷用紙における通常印刷可能領域の外側に、画像に重ならないように印刷される。その際、第１の中心位置に基づいて印刷される位置決めマークと、第２の中心位置に基づいて印刷される位置決めマークとが同一の印刷用紙に印刷される場合がある。その場合は、第１の中心位置に基づく位置決めマークと第２の中心位置に基づく位置決めマークとは、その位置決めマークの長さ、線幅および色の少なくともいずれかが異なるように印刷する。
【００４８】
異なるように印刷するために、仮に、第１の中心位置に基づく位置決めマークと第２の中心位置に基づく位置決めマークとで、同じマークの長さ、線幅、色が設定されている場合は、両者の区別ができるように、少なくともマークの長さ、線幅および色のいずれか一つを自動的に変更する。変更した際は、その旨を操作者に通知する。また、第１の中心位置に基づく位置決めマークと第２の中心位置に基づく位置決めマークとで、同じマークの長さ、線幅、色になってしまうという事態が生じないように、設定を変更する際に、マークの長さ、線幅および色が同一のものを選択できないようにしてもよい。このようにすることで、第１の中心位置に基づく位置決めマークと第２の中心位置に基づく位置決めマークを容易に区別させることができる。
【００４９】
第１印刷指示部３０６は、第１の中心位置の印刷を指示する。また、第２印刷指示部３０７は、第２の中心位置の印刷を指示する。第１印刷指示部３０６および第２印刷指示部３０７は、具体的には、たとえば、図２に示したキーボード２１１やマウス２１２などによって操作者から入力された指示に基づいて、ＣＰＵ２０１が所定のプログラムを実行することによって、その機能を実現する。その際、印刷制御部３０５は、第１印刷指示部３０６および第２印刷指示部３０７による印刷指示に基づいて、位置決めマークを印刷用紙の所定の位置に印刷する。
【００５０】
ここで、第１印刷指示部３０６および第２印刷指示部３０７は、ディスプレイ２０８に表示される、それぞれ異なる設定画面から、位置決めマークの長さ、線幅、色の少なくとも一つを指定可能であってもよい。このように、操作者に対して別々の指示をさせることによって、他方の位置決めマークを誤って指示することを効率的に防止することができる。
【００５１】
また、第２印刷指示部３０７は、位置決めマークと印刷可能領域との間隔を指定可能であってもよい。これによって、操作者が所望の間隔を容易に設定することができ、位置決めマークを用いた作業（たとえば切り取り作業など）をする場合の利便性を向上させることができる。
【００５２】
また、第１印刷指示部３０６または第２印刷指示部３０７は、位置決めマークの長さ、線幅、色の少なくとも一つを指定可能であってもよく、また、位置決めマークを、垂直方向に印刷するか、水平方向に印刷するか、または垂直方向および水平方向に印刷するかのいずれかを指定可能であってもよい。これによっても、位置決めマークの構成を容易に設定することができ、位置決めマークを用いた作業をする場合の利便性を向上させることができる。
【００５３】
印刷用紙情報取得部３０１、第１の中心位置特定部３０２、印刷可能領域情報取得部３０３、第２の中心位置特定部３０４、印刷制御部３０５、第１印刷指示部３０６、第２印刷指示部３０７は、具体的には、たとえば、ＲＯＭ２０２、ＲＡＭ２０３、ＨＤ２０５、ＦＤ２０７、光ディスク２１４に記憶されたそれぞれのプログラムを、ＣＰＵ２０１が実行することによって、その機能を実現する。
【００５４】
（印刷制御装置の印刷情報処理手順）
図４は、本実施の形態の印刷制御装置の処理手順の一例を示すフローチャートである。図４を参照して、以下に本実施の形態にかかる印刷制御装置の処理の手順について説明する。図４に示すフローチャートにおいて、まず、操作者からの用紙端中心線（第１の中心位置に基づく位置決めマーク）の印刷指示があったか否かを判断する（ステップＳ４０１）。印刷指示があったか否かは、具体的には、たとえば後述する図５に示す印刷制御装置１０１の操作画面５００の右側欄チェックボックスに入力があったか否かによって判断することができる。
【００５５】
図５は、本実施の形態の印刷制御装置の操作画面の一例を示す説明図である。図５において、５００は、印刷制御装置１０１のディスプレイ２０８に表示される操作画面である。操作画面５００において、その右側欄の中段には、『ページ情報』選択欄があり、その『ページ情報』チェックボックス５０１にチェックが入力されると、それ以下の、『スタジオ名』チェックボックス〜『メモ』チェックボックスまでをチェック可能にする。すなわち、『ページ情報』チェックボックス５０１のチェックが外れると、それらの『スタジオ名』チェックボックス〜『メモ』チェックボックスまでをグレイアウト表示し（具体的には、たとえば後述する図７を参照。）、『スタジオ名』チェックボックス〜『メモ』チェックボックスまでのチェック不可の状態にする。
【００５６】
したがって、印刷指示ありとするためには、図５に示すように、まず、『ページ情報』チェックボックス５０１にチェックが入力され、その後、『トンボ』チェックボックス５０２にチェックが入力される必要がある。ステップＳ４０１において、印刷指示がなかった場合（ステップＳ４０１：Ｎｏ）は、何もせずに、ステップＳ４０５へ移行する。一方、印刷指示があった場合（ステップＳ４０１：Ｙｅｓ）は、つぎに、たとえば、後述する図６に示す「トンボ設定（ページ）」の設定画面６００を表示する（ステップＳ４０２）。
【００５７】
図６は、本実施の形態の印刷制御装置のトンボ設定画面（ページ）の一例を示す説明図である。図６において、６００は、印刷制御装置１０１のディスプレイ２０８に表示される「トンボ設定（ページ）」の設定画面である。設定画面６００において、６０１は、位置決めマークが用紙のどの位置に印刷されるかを示すレイアウトを示す表示欄である。また、６０２，６０３，６０４は、それぞれ、『水平』、『垂直』、『両方』を示すラジオボタンであり、『水平』ラジオボタン６０２、『垂直』ラジオボタン６０３、『両方』ラジオボタン６０４の中から一つのみを排他的に選択させる。したがって、すでに選択済みのラジオボタン以外のラジオボタンを選択すると、先の選択を解除する。
【００５８】
また、表示欄６０１における位置決めマークの表示は、上記ラジオボタン６０２〜６０４の選択に応じて、変化するようにしてもよい。すなわち、図６では、『両方』ラジオボタン６０４が選択されているので、水平の位置決めマークと垂直の位置決めマークの両方を、表示欄６０１に表示する。そして、その場合には、印刷用紙にも位置決めマークを水平および垂直の両方を印刷する。仮に、『水平』ラジオボタン６０２を選択した場合には、表示欄６０１にも、水平方向の位置決めマーク（左右側に表示されている位置決めマーク）のみを表示し、垂直方向の位置決めマーク（上下側に表示されている位置決めマーク）は不表示とする。
【００５９】
図６の設定画面６００において、６０５は、位置決めマークの長さを入力させる長さ入力欄（ａ）である。ここには、位置決めマークの長さを数値で入力させ、その数値に基づく長さの位置決めマークを印刷する。図６では、「５．００」ｍｍと入力されているので、位置決めマークの長さ（ａ）が５ｍｍとなるように印刷する。また、表示欄６０１における位置決めマークの表示は、長さ入力欄６０５に入力された数値に応じて、変化するようにしてもよい。すなわち、長さ入力欄６０５の数値を大きくすると、表示欄６０１に表示される位置決めマークの表示もそれに応じて長くなるようにしてもよい。
【００６０】
図６の設定画面６００において、６０６は、位置決めマークの線幅を入力させる線幅入力欄である。ここには、位置決めマークの線幅を数値で入力させ、その数値に基づく線幅の位置決めマークを印刷する。図６では、「０．４０」ポイントと入力されているので、位置決めマークの線幅が０．４０ポイントとなるように印刷する。また、表示欄６０１における位置決めマークの表示は、線幅入力欄６０６に入力された数値に応じて、変化するようにしてもよい。すなわち、線幅入力欄６０６の数値を大きくすると、表示欄６０１に表示される位置決めマークの表示もそれに応じて太くなるようにしてもよい。
【００６１】
図６の設定画面６００において、６０７は、位置決めマークの色を入力させる色入力欄である。ここには、位置決めマークの色を入力させ、その色の位置決めマークを印刷する。色の入力は、具体的には、たとえば、色入力欄６０７をマウス２１２などでクリックさせると、図示を省略する色パレットを表示し、その色パレットから所望の色を選択させる。選択された色が色入力欄６０７に表示されれば、色の選択は完了する。また、表示欄６０１における位置決めマークの表示は、色入力欄６０７に入力された色に応じて、変化するようにしてもよい。すなわち、入力欄の色を変更すると、表示欄６０１に表示される位置決めマークの色もそれと同じ色に変更するようにしてもよい。
【００６２】
図６の設定画面６００において、６０８，６０９は、長さ入力欄６０５の単位を排他的に選択するラジオボタンである。『ｍｍ』ラジオボタン６０８を選択すると、長さ入力欄６０４の単位はｍｍ（ミリメートル）となり、『ｉｎｃｈ』ラジオボタン６０９を選択すると、長さ入力欄６０４の単位はｉｎｃｈ（インチ）となり、長さ入力欄６０５の右側の単位も『ｍｍ』から『ｉｎｃｈ』に変更する。図６では、『ｍｍ』ラジオボタン６０８が選択されているため、長さ入力欄６０５の単位はｍｍである。
【００６３】
また、図６の設定画面６００の下側の『ＯＫ』ボタン６１０が押下されると、入力（設定）された値を確定するとともに、設定画面６００を消去する。一方、図６の設定画面６００の下側の『キャンセル』ボタン６１１が押下されると、入力（設定）された値を無効にする（破棄する）とともに、設定画面６００を消去する。したがって、入力（設定）前の状態に戻る。このようにして、用紙端中心線（第１の中心位置に基づく位置決めマーク）の印刷設定が完了する。
【００６４】
図４に戻って、ステップＳ４０３において、設定が完了したか、すなわち『ＯＫ』ボタン６１０あるいは『キャンセル』ボタン６１１のいずれかが押下されたか否かを判断し、いずれかのボタンが押下された場合（ステップＳ４０３：Ｙｅｓ）は、図６の「トンボ設定（ページ）」の設定画面６００を消去し（ステップＳ４０４）、ステップＳ４０５へ移行する。
【００６５】
ステップＳ４０５において、操作者からの写真枠中心線（第２の中心位置に基づく位置決めマーク）の印刷指示があったか否かを判断する。印刷指示があったか否かは、具体的には、たとえば後述する図７に示す印刷制御装置１０１の操作画面５００の右側欄チェックボックスに入力があったか否かによって判断することができる。
【００６６】
図７は、本実施の形態の印刷制御装置の操作画面の一例を示す説明図である。図７において、５００は、印刷制御装置１０１のディスプレイ２０８に表示される操作画面である。操作画面５００において、その右側欄の中段やや上側には、『写真情報』選択欄があり、その『写真情報』チェックボックス７０１にチェックが入力されると、それ以下の、『ファイル名』チェックボックス〜『写真枠』チェックボックスまでをチェック可能にする。すなわち、『写真情報』チェックボックス７０１のチェックが外れると、それらの『ファイル名』チェックボックス〜『写真枠』チェックボックスまでをグレイアウト表示し（具体的には、たとえば後述する図５を参照。）、『ファイル名』チェックボックス〜『写真枠』チェックボックスまでのチェック不可の状態にする。
【００６７】
したがって、印刷指示ありとするためには、図７に示すように、まず、『写真情報』チェックボックス７０１にチェックが入力され、その後、『トンボ』チェックボックス７０２にチェックが入力される必要がある。ステップＳ４０５において、印刷指示がなかった場合（ステップＳ４０５：Ｎｏ）は、何もせずに、ステップＳ４０９へ移行する。一方、印刷指示があった場合（ステップＳ４０５：Ｙｅｓ）は、つぎに、たとえば、後述する図８などに示す「トンボ設定（写真枠）」の設定画面８００を表示する（ステップＳ４０６）。
【００６８】
図８は、本実施の形態の印刷制御装置のトンボ設定画面（写真枠）の一例を示す説明図である。図８において、８００は、印刷制御装置１０１のディスプレイ２０８に表示される「トンボ設定（写真枠）」の設定画面である。設定画面８００において、８０１は、位置決めマーク（トンボ）が用紙のどの位置に印刷されるかを示すレイアウトを示す表示欄である。８０２は、位置決めマーク（中心線）が用紙のどの位置に印刷されるかを示すレイアウトを示す表示欄である。
【００６９】
また、８０３，８０４，８０５は、それぞれ、『写真』、『フレーム』、『写真＋フレーム』を示すラジオボタンであり、『写真』ラジオボタン８０３、『フレーム』ラジオボタン８０４、『写真＋フレーム』ラジオボタン８０５の中から一つのみを排他的に選択させる。したがって、すでに選択済みのラジオボタン以外のラジオボタンを選択すると、先の選択を解除する。『写真』、『フレーム』、『写真＋フレーム』と実際の位置決めマークとの関係についての詳細は後述する。
【００７０】
図８の設定画面８００において、８０６および８０７は、中心線に関するチェックボックスである。『上／下』チェックボックス８０６にチェックがされることによって、上下すなわち垂直方向の中心線を印刷する。同様に、『左／右』チェックボックス８０７にチェックがされることによって、左右すなわち水平方向の中心線を印刷する。また、表示欄８０２における位置決めマークの表示は、上記チェックボックス８０６，８０７の選択に応じて、変化するようにしてもよい。
【００７１】
すなわち、図８では、『上／下』チェックボックス８０６、『左／右』チェックボックス８０７の両方が選択されているので、垂直方向および水平方向の位置決めマークの両方を、表示欄８０２に表示する。そして、その場合には、印刷用紙にも位置決めマークを垂直および水平の両方を印刷する。仮に、『上／下』チェックボックス８０６のみを選択した場合には、表示欄８０２にも、垂直方向の位置決めマーク（上下側に表示されている位置決めマーク）のみを表示し、水平方向の位置決めマーク（左右側に表示されている位置決めマーク）は不表示とする。
【００７２】
図８の設定画面８００において、８０８は、位置決めマークの長さを入力させる長さ入力欄（ａ）である。ここには、位置決めマークの長さを数値で入力させ、その数値に基づく長さの位置決めマークを印刷する。図８では、「５．００」ｍｍと入力されているので、位置決めマークの長さ（ａ）が５ｍｍとなるように印刷する。また、表示欄８０１における位置決めマークの表示は、長さ入力欄８０８に入力された数値に応じて、変化するようにしてもよい。すなわち、長さ入力欄８０８の数値を大きくすると、表示欄８０１，８０２に表示される位置決めマークの表示もそれに応じて長くなるようにしてもよい。
【００７３】
図８の設定画面８００において、８０９は、印刷可能領域から位置決めマークまでの間隔を入力させる間隔入力欄（ｂ）である。ここには、印刷可能領域から位置決めマークまでの間隔を数値で入力させ、その数値に基づく間隔で位置決めマークを印刷する。図８では、「３．００」ｍｍと入力されているので、印刷可能領域から位置決めマークまでの間隔（ｂ）が３ｍｍとなるように印刷する。
【００７４】
また、表示欄８０１，８０２における位置決めマークの表示は、間隔入力欄８０９に入力された数値に応じて、変化するようにしてもよい。すなわち、間隔入力欄８０９の数値を大きくすると、表示欄８０１，８０２に表示される印刷可能領域から位置決めマークまでの間隔の表示もそれに応じて広くなるようにしてもよい。
【００７５】
図８の設定画面８００において、８１０は、垂直方向の位置決めマークが印刷可能領域の縦方向の端部からの距離を入力させる距離入力欄（ｃ１）である。ここには、印刷可能領域の縦方向の端部からの距離を数値で入力させ、その数値に基づく距離に位置決めマークを印刷する。図８では、「１．００」ｍｍと入力されているので、垂直方向の位置決めマークが印刷可能領域の縦方向の端部からの距離（ｃ１）が１ｍｍとなるように印刷する。
【００７６】
また、表示欄８０１における位置決めマークの表示は、距離入力欄８１０に入力された数値に応じて、変化するようにしてもよい。すなわち、距離入力欄８１０の数値を大きくすると、表示欄８０１に表示される垂直方向の位置決めマークから印刷可能領域の縦方向の端部までの距離の表示も、それに応じて長くなるようにしてもよい。
【００７７】
図８の設定画面８００において、８１１は、水平方向の位置決めマークが印刷可能領域の横方向の端部からの距離を入力させる距離入力欄（ｃ２）である。ここには、印刷可能領域の横方向の端部からの距離を数値で入力させ、その数値に基づく距離に位置決めマークを印刷する。図８では、「１．００」ｍｍと入力されているので、水平方向の位置決めマークが印刷可能領域の横方向の端部からの距離（ｃ２）が１ｍｍとなるように印刷する。また、表示欄８０１における位置決めマークの表示は、距離入力欄８１１に入力された数値に応じて、変化するようにしてもよい。すなわち、距離入力欄８１１の数値を大きくすると、表示欄８０１に表示される水平方向の位置決めマークから印刷可能領域の横方向の端部までの距離の表示も、それに応じて長くなるようにしてもよい。
【００７８】
図８の設定画面８００において、８１２は、位置決めマークの線幅を入力させる線幅入力欄である。ここには、位置決めマークの線幅を数値で入力させ、その数値に基づく線幅の位置決めマークを印刷する。図８では、「１．００」ポイントと入力されているので、位置決めマークの線幅が１．００ポイントとなるように印刷する。また、表示欄８０１における位置決めマークの表示は、線幅入力欄８１２に入力された数値に応じて、変化するようにしてもよい。すなわち、線幅入力欄８１２の数値を大きくすると、表示欄８０１に表示される位置決めマークの表示もそれに応じて太くなるようにしてもよい。
【００７９】
図８の設定画面８００において、８１３は、位置決めマークの色を入力させる色入力欄である。ここには、位置決めマークの色を入力させ、その色の位置決めマークを印刷する。色の入力は、具体的には、たとえば、色入力欄８１３をマウス２１２などでクリックさせると、図示を省略する色パレットを表示し、その色パレットから所望の色を選択させる。選択された色が色入力欄８１３に表示されれば、色の選択は完了する。また、表示欄８０１における位置決めマークの表示は、色入力欄８１３に入力された色に応じて、変化するようにしてもよい。すなわち、入力欄の色を変更すると、表示欄８０１に表示される位置決めマークの色もそれと同じ色に変更するようにしてもよい。
【００８０】
図８の設定画面８００において、８１４，８１５は、長さ入力欄８０８の単位を排他的に選択するラジオボタンである。『ｍｍ』ラジオボタン８１４を選択すると、長さ入力欄８０８の単位はｍｍ（ミリメートル）となり、『ｉｎｃｈ』ラジオボタン８１５を選択すると、長さ入力欄８０８の単位はｉｎｃｈ（インチ）となり、長さ入力欄８０８の右側の単位も『ｍｍ』から『ｉｎｃｈ』に変更する。図８では、『ｍｍ』ラジオボタン８１４が選択されているため、長さ入力欄８０８の単位はｍｍである。
【００８１】
また、図８の設定画面８００の下側の『ＯＫ』ボタン８１６が押下されると、入力（設定）された値を確定するとともに、設定画面８００を消去する。一方、図８の設定画面８００の下側の『キャンセル』ボタン８１７が押下されると、入力（設定）された値を無効にする（破棄する）とともに、設定画面８００を消去する。したがって、入力（設定）前の状態に戻る。このようにして、用紙端中心線（第１の中心位置に基づく位置決めマーク）の印刷設定が完了する。
【００８２】
図４に戻って、ステップＳ４０７において、設定が完了したか、すなわち『ＯＫ』ボタン８１６あるいは『キャンセル』ボタン８１７のいずれかが押下されたか否かを判断し、いずれかのボタンが押下された場合（ステップＳ４０７：Ｙｅｓ）は、図８の「トンボ設定（写真枠）」の設定画面８００を消去し（ステップＳ４０８）、ステップＳ４０９へ移行する。
【００８３】
その後、ステップＳ４０９において、印刷指示があったか否かを判断する。そして、印刷指示がない場合（ステップＳ４０９：Ｎｏ）は、ステップＳ４０１へ戻って、以後ステップＳ４０１〜Ｓ４０９を繰り返し実行する。一方、ステップＳ４０９において、印刷指示があった場合（ステップＳ４０９：Ｙｅｓ）は、設定された位置決めマークとともに画像の印刷処理を実行し（ステップＳ４１０）、一連の処理を終了する。
【００８４】
（『写真』、『フレーム』、『写真＋フレーム』と実際の位置決めマークとの関係）
図９は、図８に示した設定画面に対応するレイアウト画面である。図９において、９０１は、実際に画像が印刷される領域を示しており、９０２は、印刷用紙において画像が印刷できる限界の境界線（フレーム）の枠を示している。したがって、印刷可能領域（写真枠）は、この枠９０２内の領域である。
【００８５】
図８の設定画面８００において、『写真』ラジオボタン８０３が選択されているので、この場合に、印刷される位置決めマーク（トンボ）は、実際に画像が印刷される領域９０１の左上隅にトンボ９０３，９０４、右上隅にトンボ９０５，９０６、左下隅にトンボ９０７，９０８、右下隅にトンボ９０９，９１０をそれぞれ印刷することになる。また、図８の設定画面８００において、『上／下』チェックボックス８０６、『左／右』チェックボックス８０７の両方が選択されているので、垂直方向のトンボ９１１，９１２および水平方向のトンボ９１３，９１４もそれぞれ印刷する。
【００８６】
図１０は、トンボ設定画面（写真枠）の別の一例を示す説明図であり、図１１は、図１０に示した設定画面に対応するレイアウト画面である。図１０の設定画面８００において、『フレーム』ラジオボタン８０４が選択されているので、この場合に、印刷される位置決めマーク（トンボ）は、印刷用紙において画像が印刷できる限界の境界線（フレーム）の枠の左上隅にトンボ１１０１、右上隅にトンボ１１０２、左下隅にトンボ１１０３、右下隅にトンボ１１０４をそれぞれ印刷することになる。
【００８７】
ここで、図１１のレイアウト画面の各四隅において、水平方向にトンボを表示していないのは、横方向（たとえば主走査方向）においては、画像が印刷できる限界の境界線（フレーム）の枠が、印刷用紙の端部付近まで広がって存在するので、フレームの枠の外側、すなわち印刷可能領域の外側においては、水平方向のトンボを印刷するスペースが無く、その結果、水平方向のトンボが印刷できないことを示すものである。ただし、画像の向きなどによっては表示される中心線が異なってくることがある。したがって、中心線は選択した場合であっても、印刷されないことがあり得る。
【００８８】
また、同様に、図１０の設定画面８００において、『上／下』チェックボックス８０６、『左／右』チェックボックス８０７の両方が選択されているが、図１１のレイアウト画面におては、垂直方向のトンボ１１０５，１１０６のみを表示しており、実際の印刷においても、垂直方向のトンボ１１０５，１１０６のみを印刷する（水平方向にはトンボは印刷しない）。
【００８９】
図１２は、トンボ設定画面（写真枠）の別の一例を示す説明図であり、図１３は、図１２に示した設定画面に対応するレイアウト画面である。図１２の設定画面８００において、『写真＋フレーム』ラジオボタン８０５が選択されているので、この場合は、図９に示したトンボと、図１１に示したトンボの両方をあわせたトンボ１３０１〜１３１６を同時に印刷することになる。ここで、１３１０および１３１３は、『写真』と『フレーム』とで同一の位置になるため、重ねて印刷する（あるいは、重ねずにどちらか一方だけ印刷する）。
【００９０】
以上説明したように、本発明の実施の形態の印刷制御装置によれば、印刷用紙に関する情報を取得する印刷用紙情報取得部３０１と、印刷用紙情報取得部３０１によって取得された情報に基づいて、印刷用紙における少なくとも印刷用紙の垂直方向および水平方向のいずれか一方における中心位置（「第１の中心位置」）を特定する第１の中心位置特定部３０２と、印刷用紙における印刷可能領域に関する情報を取得する印刷可能領域情報取得部３０３と、印刷可能領域情報取得部３０３によって取得された情報に基づいて、印刷用紙における、少なくとも印刷可能領域の垂直方向および水平方向のいずれか一方における中心位置（「第２の中心位置」）を特定する第２の中心位置特定部３０４と、印刷装置を制御して、第１の中心位置および第２の中心位置に基づいて位置決めマークを印刷する印刷制御部３０５と、を備える。
【００９１】
また、本発明の実施の形態の印刷制御装置によれば、印刷制御部３０５は、第１の中心位置に基づいて印刷される位置決めマークと、第２の中心位置に基づいて印刷される位置決めマークとが同一の印刷用紙に印刷される場合に、位置決めマークの長さ、線幅および色の少なくともいずれかが異なるように印刷するので、第１の中心位置に基づく位置決めマークと第２の中心位置に基づく位置決めマークを容易に区別させることができる。
【００９２】
また、本発明の実施の形態の印刷制御装置によれば、第１の中心位置の印刷を指示する第１印刷指示部３０６と、第２の中心位置の印刷を指示する第２印刷指示部３０７と、を備え、印刷制御部３０５は、第１印刷指示部３０６および第２印刷指示部３０７による印刷指示に基づいて、位置決めマークを印刷する。
【００９３】
また、本発明の実施の形態の印刷制御装置によれば、第１印刷指示部３０６および第２印刷指示部３０７は、それぞれ異なる設定画面（設定画面６００と設定画面８００）から、位置決めマークの長さ、線幅、色の少なくとも一つを指定可能である。これによって、操作者に対して別々の指示をさせることによって、他方の位置決めマークを誤って指示することを効率的に防止することができる。
【００９４】
また、本発明の実施の形態の印刷制御装置によれば、第２印刷指示部３０７は、位置決めマークと印刷可能領域との間隔を指定可能である。これによって、操作者が所望の間隔を容易に設定することができ、位置決めマークを用いた作業（たとえば切り取り作業など）をする場合の利便性を向上させることができる。
【００９５】
また、本発明の実施の形態の印刷制御装置によれば、第１印刷指示部３０６または第２印刷指示部３０７は、位置決めマークの長さ、線幅、色の少なくとも一つを指定可能である。また、第１印刷指示部３０６または第２印刷指示部３０７は、位置決めマークを、垂直方向に印刷するか、水平方向に印刷するか、または垂直方向および水平方向に印刷するかのいずれかを指定可能である。
【００９６】
このように、用紙端を基準とした中心設定ＵＩと写真枠（印刷可能領域）を基準とした中心線設定ＵＩとを別々に用意し、設定切り替えも可能にした。また、中心マークが設定できることで、印刷装置や用紙の仕様によって、上下または左右において余白の幅が異なるため、目的に応じた中心マークの設定が可能である。また、裁断時の基準取りや不要余白の裁断処理の工数を削減することができる。
【００９７】
また、折り込み作業の基準取りに利用することができる。この際、本実施の形態では、２つ折りを想定して、中心位置（辺の１／２の位置）のみ位置決めマークを印刷するようにしたが、中心位置に限定されず、折り方によっては、３つ折りに対応させるために、辺の１／３の位置に、また、４つ折りに対応させるために、辺の１／４の位置にそれぞれ位置決めマークを印刷するようにしてもよい。
【００９８】
また、印刷用紙は、紙に限定される必要はなく、紙以外の印刷媒体であってもよい。たとえば、布やプラスチックなどである。したがって、ＣＤ−ＲＯＭやＤＶＤなどのディスクの表面に印刷するにも適用される。
【００９９】
なお、本実施の形態で説明した位置決めマーク印刷方法は、あらかじめ用意されたプログラムを、たとえば印刷制御装置に組み込まれたコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１００】
【図１】印刷制御装置を備える印刷システムの概略構成の一例を示す構成図。
【図２】印刷制御装置のハードウエア構成の一例を示す説明図。
【図３】印刷制御装置の機能的構成の一例を示す説明図。
【図４】印刷制御装置の処理手順の一例を示すフローチャート。
【図５】印刷制御装置の操作画面の一例を示す説明図。
【図６】トンボ設定画面（ページ）の一例を示す説明図。
【図７】印刷制御装置の操作画面の別の一例を示す説明図。
【図８】トンボ設定画面（写真枠）の一例を示す説明図。
【図９】図８に示した設定画面に対応するレイアウト画面。
【図１０】トンボ設定画面（写真枠）の別の一例を示す説明図。
【図１１】図１０に示した設定画面に対応するレイアウト画面。
【図１２】トンボ設定画面（写真枠）の別の一例を示す説明図。
【図１３】図１２に示した設定画面に対応するレイアウト画面。
【符号の説明】
【０１０１】
１００  ネットワーク、  １０１  印刷制御装置、  １０２  プリンタ、  １０３  ネットワークプリンタ、  １０４  複合機、  １０５  大型プリンタ、  ３０１  印刷用紙情報取得部、  ３０２  第１の中心位置特定部、  ３０３  印刷可能領域情報取得部、  ３０４  第２の中心位置特定部、  ３０５  印刷制御部、  ３０６  第１印刷指示部、  ３０７  第２印刷指示部、  ６００  「トンボ設定（ページ）」の設定画面、  ８００  「トンボ設定（写真枠）」の設定画面、  ９０３〜９１４，１１０１〜１１０６，１３０１〜１３１６  位置決めマーク
【図１】
2007065719.tif 000003
【図２】
2007065719.tif 000004
【図３】
2007065719.tif 000005
【図４】
2007065719.tif 000006
【図５】
2007065719.tif 000007
【図６】
2007065719.tif 000008
【図７】
2007065719.tif 000009
【図８】
2007065719.tif 000010
【図９】
2007065719.tif 000011
【図１０】
2007065719.tif 000012
【図１１】
2007065719.tif 000013
【図１２】
2007065719.tif 000014
【図１３】
2007065719.tif 000015